(57)【要約】【課題】電圧変換部および監視部に制御用電圧を印加するための回路構成の規模を抑制すること。【解決手段】画像処理装置は、画像処理部と、駆動電圧の電力を出力する電力供給部と、駆動電圧の電力が供給され前記画像処理部を制御する画像制御部と、操作指令を受け付ける受付部と、を備え、電力供給部は、操作指令を受け付けたと判断した場合に、起動指令を出力する監視部と、起動指令を受けたことにより、外部電源から供給される直流電圧を前記駆動電圧に変換する電圧変換動作を実行する電圧変換部と、直流電力の電圧から、監視部および電圧変換部それぞれを制御するのに必要な制御用電圧を生成してそれぞれに印加する電圧生成部と、を有する。【選択図】図２
2014144602.tif 000002
【特許請求の範囲】
【請求項１】
画像に関する処理を実行する画像処理部と、
駆動電圧を出力する電力供給部と、
前記駆動電圧が供給され前記画像処理部を制御する画像制御部と、
操作指令を受け付ける受付部と、
を備え、
前記電力供給部は、
前記受付部が前記操作指令を受け付けたか否かを判断する監視動作を実行し、当該操作指令を受け付けたと判断した場合に、起動指令を出力する監視部と、
前記起動指令を受けたことにより、外部電源から供給される電圧を前記駆動電圧に変換する電圧変換動作を実行する電圧変換部と、
前記外部電源から供給される電圧から、前記監視部および前記電圧変換部それぞれを制御するのに必要な制御用電圧を生成し、前記監視部および前記電圧変換部それぞれに印加する電圧生成部と、
を有する、画像処理装置。
【請求項２】
請求項１に記載の画像処理装置であって、
前記電力供給部は、更に、
クロック信号を出力する発振部を有し、
前記監視部は、前記クロック信号を用いて前記監視動作を実行し、
前記電圧変換部は、前記クロック信号を用いて前記電圧変換動作を実行する、画像処理装置。
【請求項３】
請求項２に記載の画像処理装置であって、
前記監視部は、
前記クロック信号に応じた周期で前記受付部からの入力信号レベルを読み込んで、当該入力信号レベルとノイズ判定用閾値と比較してノイズを除去するノイズキャンセル部を有する、画像処理装置。
【請求項４】
請求項３に記載の画像処理装置であって、
前記監視部は、更に、
前記クロック信号のクロック周期を分周する分周部を有し、
前記ノイズキャンセル部は、前記分周部による分周後のクロック周期で前記受付部からの入力信号レベルを読み込んで、当該入力信号レベルとノイズ判定用閾値と比較してノイズを除去する、画像処理装置。
【請求項５】
請求項２から５のいずれか一項に記載の画像処理装置であって、
前記画像処理部は、前記画像に関する処理を実行するための駆動源を有する構成であり、
前記電力供給部は、更に、
前記制御用電圧が印加され、前記クロック信号を用いて前記駆動源の動作を制御する駆動制御部を有する、画像処理装置。
【請求項６】
請求項１から５のいずれか一項に記載の画像処理装置であって、
前記電力供給部は、更に、
前記電圧生成部が生成した前記制御用電圧が印加される記憶部を有し、
前記監視部は、前記監視動作の監視結果を前記記憶部に記憶し、
前記画像制御部は、前記記憶部に記憶された前記監視結果により前記画像処理部を制御する、画像処理装置。
【請求項７】
請求項６に記載の画像処理装置であって、
前記画像制御部は、オフ指令情報を前記記憶部に書き込み、
前記監視部は、オン指令情報を前記記憶部に書き込み、
前記電圧変換部は、前記記憶部に前記オフ指令情報が書き込まれていると判断した場合に前記電圧変換動作を停止し、前記起動信号を受け、且つ、前記記憶部に前記オン指令情報が書き込まれていると判断した場合に前記電圧変換動作を開始する、画像処理装置。
【発明の詳細な説明】
【技術分野】
【０００１】
外部電源から供給される直流電圧を、駆動電圧に電圧変換し、その駆動電圧により画像処理に関する処理を制御する技術に関する。
【背景技術】
【０００２】
従来から、省電力化モード機能が付加された集積回路がある（特許文献１参照）。この集積回路は、電源電力がトランジスタを介して供給される被電源供給回路ブロックと、その被電源供給回路ブロックへの電力供給を制御する電源制御回路ブロックとを備える。被電源供給回路ブロックは、省電力化モードへの移行条件を満たしたことを検出すると、その旨を電源制御回路ブロックに通知する。電源制御回路ブロックは、その通知を受けると、トランジスタをオフ（開動作）させて電源電力から被電源供給回路ブロックへの電力供給を遮断させる。その後、電源制御回路ブロックは、外部から遮断解除信号を受けたかどうかを監視し、当該遮断解除信号を受けたと判断した場合、トランジスタをオン（閉動作）させて、電源電力から被電源供給回路ブロックへの電力供給を再開させる。
【先行技術文献】
【特許文献】
【０００３】
【特許文献１】特開２００２−３１２０７３号公報
【発明の概要】
【発明が解決しようとする課題】
【０００４】
ところで、上記従来のような構成では、一般的に、電源電圧を被電源供給回路ブロック用電圧に変換する電圧変換部を制御するための制御用電圧と、遮断解除信号を監視する監視部を制御するための制御用電圧とを、別々のレギュレータにより個別に生成する構成であった。このため、回路構成の規模の低減を図ることが難しいという問題があった。
【０００５】
本明細書では、電圧変換部および監視部に制御用電圧を印加するための回路構成の規模を抑制することが可能な技術を開示する。
【課題を解決するための手段】
【０００６】
本明細書によって開示される画像処理装置は、画像に関する処理を実行する画像処理部と、駆動電圧を出力する電力供給部と、前記駆動電圧が供給され前記画像処理部を制御する画像制御部と、操作指令を受け付ける受付部と、を備え、前記電力供給部は、前記受付部が前記操作指令を受け付けたか否かを判断する監視動作を実行し、当該操作指令を受け付けたと判断した場合に、起動指令を出力する監視部と、前記起動指令を受けたことにより、外部電源から供給される電圧を前記駆動電圧に変換する電圧変換動作を実行する電圧変換部と、前記外部電源から供給される電圧から、前記監視部および前記電圧変換部それぞれを制御するのに必要な制御用電圧を生成し、前記監視部および前記電圧変換部それぞれに印加する電圧生成部と、を有する。
【０００７】
この画像処理装置によれば、監視部および電圧変換部は、共通の電圧生成部により生成された制御用電圧が印加されて動作可能になる。このため、電圧変換部および監視部それぞれに電圧生成部を備える構成に比べて、電圧変換部および監視部に制御用電圧を印加するための回路構成の規模を抑制することが可能になる。
【０００８】
上記画像処理装置では、前記電力供給部は、更に、クロック信号を出力する発振部を有し、前記監視部は、前記クロック信号を用いて前記監視動作を実行し、前記電圧変換部は、前記クロック信号を用いて前記電圧変換動作を実行してもよい。
【０００９】
この画像処理装置によれば、監視部および電圧変換部は、共通の発振部から出力されたクロック信号を用いてそれぞれの動作を実行する。このため、電圧変換部および監視部それぞれに専用の発振部を備える構成に比べて、クロック信号を出力するための回路構成の規模を抑制することが可能になる。
【００１０】
上記画像処理装置では、前記監視部は、前記クロック信号に応じた周期で前記受付部からの入力信号レベルを読み込んで、当該入力信号レベルとノイズ判定用閾値と比較してノイズを除去するノイズキャンセル部を有してもよい。
【００１１】
この画像処理装置によれば、監視部は、クロック信号に応じた周期で受付部からの入力信号レベルを読み込んで、当該入力信号レベルとノイズ判定用閾値と比較してノイズを除去する。これにより、電圧変換部に与えるクロック信号を利用して、監視部におけるノイズ除去を行うことができる。
【００１２】
上記画像処理装置では、前記監視部は、更に、前記クロック信号のクロック周期を分周する分周部を有し、前記ノイズキャンセル部は、前記分周部による分周後のクロック周期で前記受付部からの入力信号レベルを読み込んで、当該入力信号レベルとノイズ判定用閾値と比較してノイズを除去してもよい。
【００１３】
この画像処理装置によれば、ノイズキャンセル部は、分周部による分周後のクロック周期で前記受付部からの入力信号レベルを読み込んで、当該入力信号レベルとノイズ判定用閾値と比較してノイズを除去する。これにより、電圧変換部とノイズキャンセル部とで、共通の発振回路のクロック信号を利用しつつ、互いに異なる周期でそれぞれの動作を行うことができる。
【００１４】
上記画像処理装置では、前記画像処理部は、前記画像に関する処理を実行するための駆動源を有する構成であり、前記電力供給部は、更に、前記制御用電圧が印加され、前記クロック信号を用いて前記駆動源の動作を制御する駆動制御部を有してもよい。
【００１５】
この画像処理装置によれば、駆動制御部は、制御用電圧が印加され、クロック信号を用いて駆動源の動作を制御する。これにより、駆動制御部に対し専用の電圧生成部や発振部を備える構成に比べて回路構成の規模を抑制することができる。
【００１６】
上記画像処理装置では、前記電力供給部は、更に、前記電圧生成部が生成した前記制御用電圧が印加される記憶部を有し、前記監視部は、前記監視動作の監視結果を前記記憶部に記憶し、前記画像制御部は、前記記憶部に記憶された前記監視結果により前記画像処理部を制御してもよい。
【００１７】
この画像処理装置によれば、監視結果が記憶される記憶部にも制御用電圧を印加される。これにより、電圧変換部および監視部とは異なる別の電圧生成部により生成した電圧を記憶部に印加する構成に比べて、電圧を印加するための回路構成の規模を抑制することが可能になる。
【００１８】
上記画像処理装置では、前記画像制御部は、オフ指令情報を前記記憶部に書き込み、前記監視部は、オン指令情報を前記記憶部に書き込み、前記電圧変換部は、前記記憶部に前記オフ指令情報が書き込まれていると判断した場合に前記電圧変換動作を停止し、前記起動信号を受け、且つ、前記記憶部に前記オン指令情報が書き込まれていると判断した場合に前記電圧変換動作を開始してもよい。
【００１９】
この画像処理装置によれば、電圧変換部は、記憶部にオフ指令情報が書き込まれていると判断した場合に電圧変換動作を停止し、起動信号を受け、且つ、記憶部にオン指令情報が書き込まれていると判断した場合に電圧変換動作を開始する。これにより、共通の記憶部を利用して、監視結果の記憶とオンオフ指令情報の記憶を行うことで回路構成の規模を抑制することができる。
【発明の効果】
【００２０】
本明細書によって開示される発明によれば、電圧変換部および監視部に制御用電圧を印加するための回路構成の規模を抑制することが可能である。
【図面の簡単な説明】
【００２１】
【図１】一実施形態に係る印刷装置の斜視図
【図２】印刷装置の電気的構成を示すブロック図
【図３】印刷制御部および電力供給部の動作を説明するためのタイムチャート
【発明を実施するための形態】
【００２２】
実施形態１の印刷装置１について図１〜図３を参照しつつ説明する。印刷装置１は、印刷用紙等のシートに画像を印刷する印刷機能を有するプリンタである。印刷装置１は画像処理装置の一例である。以下の説明では、図１の紙面左斜め下側を印刷装置１の前側（Ｆ）とし、紙面右斜め下側を印刷装置１の右側（Ｒ）とし、紙面上側を印刷装置１の上側（Ｕ）とする。
【００２３】
（印刷装置の外観構成）
図１に示すように、印刷装置１は、箱状のケーシング２を有し、このケーシング２の底部には、印刷前のシートを複数枚収容可能な収容カセット３が前方に引き出し可能に設けられている。ケーシング２の上面には、排出口２Ａおよび排出トレイ２Ｂが設けられており、印刷済シートは、排出口２Ａから排出トレイ２Ｂ上に排出される。
【００２４】
排出トレイ２Ｂの前側には、操作パネル４が設けられている。操作パネル４は受付部の一例である。操作パネル４には複数の操作ボタン４Ａや液晶ディスプレイ４Ｂなどが設けられている。ユーザは操作パネル４を操作することにより、印刷装置１の各種動作の設定や実行指示等を行うことができる。また、ケーシング２の右側面の下方には電源スイッチ５が設けられている。この電源スイッチ５は、機械式のスイッチ（リレー）である。
【００２５】
（印刷装置の電気的構成）
図２に示すように、印刷装置１は、低圧電源６を介して、例えば商用電源７に接続される構成になっている。低圧電源６は、外部電源の一例であり、商用電源７からの交流電力（ＡＣ１００Ｖ）をＡＣ／ＤＣ変換し、第１駆動電圧Ｖ１（例えば２４Ｖ）の直流電圧（直流電力の電圧）を出力する。第１駆動電圧Ｖ１は、後述する印刷部１０等を駆動させるのに必要な電圧である。
【００２６】
ケーシング２内には、印刷部１０、印刷制御部１１、および、電力供給部１２を備えられている。印刷部１０は、例えば電子写真方式やインクジェット方式等により印刷前シートに印刷を行う印刷機構である。印刷部１０は、画像処理部の一例である。
【００２７】
印刷制御部１１は、例えば中央処理装置（以下、ＣＰＵ）１１Ａ、メモリ１１Ｂおよび画処理部１１Ｃを有する。メモリ１１Ｂには、例えばＲＡＭやＲＯＭを有し、印刷装置１の各種の動作を実行するためのプログラムや画像データ等が記憶されている。ＣＰＵ１１Ａは、メモリ１１Ｂから読み出したプログラムに従って、印刷装置１の各部を制御する。なお、上記各種のプログラムが記憶される媒体は、メモリ１１Ｂ以外に、ＣＤ−ＲＯＭ、ハードディスク装置、フラッシュメモリなどの不揮発性メモリでもよい。
【００２８】
電力供給部１２は、互いに異なる機能を実行する複数の回路が実装された複合回路であり、具体的には、ＤＣ／ＤＣコンバータ２０、監視回路２１，レジスタ２２（記憶部の一例），発振回路２３，レギュレータ２４，および、モータ制御回路２５を有する。
【００２９】
レギュレータ２４は、電圧生成部の一例であり、上記第１駆動電圧Ｖ１から内部電圧Ｖ３（例えば５Ｖ）を生成し、この内部電圧Ｖ３を、ＤＣ／ＤＣコンバータ２０、監視回路２１，レジスタ２２，発振回路２３、および、モータ制御回路２５に印加する。内部電圧Ｖ３は、制御用電圧の一例であり、これらの回路２０〜２５を動作させる、或いは、それぞれの機能に対する制御を実行させるのに必要な電圧である。なお、レギュレータ２４は、リニアレギュレータおよびスイッチングレギュレータのいずれでもよい。
【００３０】
発振回路２３は、発振部の一例であり、予め定められた周波数のクロック信号ＣＬを出力し、ＤＣ／ＤＣコンバータ２０、監視回路２１，レジスタ２２，および、モータ制御回路２５に与える。なお、発振回路２３は、公知の各種の構成を採用することができる。
【００３１】
ＤＣ／ＤＣコンバータ２０は、電力変換部の一例であり、上記低圧電源６から出力された第１駆動電圧Ｖ１を、第２駆動電圧Ｖ２（例えば３．３Ｖ）に電圧変換する電圧変換動作を実行する。第２駆動電圧Ｖ２は、印刷制御部１１を駆動させるのに必要な電圧（動作電圧）である。具体的には、ＤＣ／ＤＣコンバータ２０は、制御用ロジック回路２０Ａを有する。この制御用ロジック回路２０Ａは、上記内部電圧Ｖ３が印加されることにより、上記クロック信号ＣＬのクロック周期に同期して、スイッチング動作など、ＤＣ／ＤＣコンバータ２０の電圧変換動作を制御することが可能になる。
【００３２】
監視回路２１は、監視部の一例であり、上記内部電圧Ｖ３が印加されることにより動作可能となり、上記操作パネル４の操作ボタン４Ａが押下されたか否かを判断する。監視回路２１は、操作パネル４からの操作信号ＳＧ１に基づき、操作ボタン４Ａが押下されたと判断した場合、オン指令信号ＳＧ２を出力する。オン指令は起動信号の一例である。
【００３３】
また、監視回路２１は、分周回路２１Ａ（分周部の一例）およびノイズキャンセル回路２１Ｂ（ノイズキャンセル部の一例）を有する。分周回路２１Ａは、発振回路２３からのクロック信号ＣＬのクロック周期を分周する。ノイズキャンセル回路２１Ｂは、分周回路２１Ａによる分周後のクロック周期に同期したタイミングで、監視回路２１に入力される信号から、チャタリングや周辺機器からの電磁気等によるノイズ信号を除去する回路である。このノイズキャンセル回路２１Ｂにより、監視回路２１は、操作ボタン４Ａの押下による信号を精度よく監視することができる。また、分周回路２１Ａは、分周後のクロック周期を利用することにより、分周前のクロック周期を利用する構成に比べて、ノイズ信号であるかどうかの判断を適切に行いつつ、ノイズキャンセル動作による消費電力を抑制することができる。
【００３４】
レジスタ２２は、記憶部の一例であり、上記内部電圧Ｖ３が印加されることにより、上記クロック信号ＣＬのクロック周期に同期して書き込み動作を実行することが可能になり、印刷制御部１１によるオフ指令情報と、監視回路２１によるオン指令情報とが選択的に書き込まれる。モータ制御回路２５は、駆動制御部の一例であり、上記内部電圧Ｖ３が印加されることで、上記クロック信号ＣＬのクロック周期に同期したタイミングで印刷部１０が有する駆動源（図示せず）の駆動を実行することが可能になる。なお、駆動源には、例えばシートを搬送する搬送機構の駆動モータや光走査装置が有するポリゴンモータなどが含まれる。
【００３５】
（印刷制御部および電力供給部の動作）
ユーザが、低圧電源６を商用電源７に接続し、電源スイッチ５をオン操作すると、図３に示すように、低圧電源６は第１駆動電圧Ｖ１の電力を出力する。そして、レギュレータ２４は、第１駆動電圧Ｖ１から内部電圧Ｖ３を生成し出力する。また、発振回路２３は、内部電圧Ｖ３が印加されることにより、クロック信号ＣＬを出力する。
【００３６】
制御用ロジック回路２０Ａは、内部電圧Ｖ３が印加されることで、クロック信号ＣＬのクロック周期に同期して、ＤＣ／ＤＣコンバータ２０に電圧変換動作を実行させ、第２駆動電圧Ｖ２を印刷制御部１１に印加し始める。また、制御用ロジック回路２０Ａは、レジスタ２２にオフ指令情報およびオン指令信号のいずれが書き込まれているかを確認するオンオフ確認処理を、定期的に繰り返し実行する。なお、次述する通常モードでは、レジスタ２２にはオン指令情報が書き込まれている。
【００３７】
印刷制御部１１は、通常モードとオフモードとの間で移行可能である。通常モードは、印刷制御部１１が、第２駆動電圧Ｖ２が印加され印刷部１０の印刷動作を制御可能な動作モードである。オフモードは、第２駆動電圧Ｖ２が印加されず印刷部１０の印刷動作を制御不能な省電力モードである。なお、印刷制御部１１は、オフモードに限らず、通常モードよりも消費電力が少ない省電力モードに移行可能な構成でもよい。印刷制御部１１は、ＤＣ／ＤＣコンバータ２０から第２駆動電圧Ｖ２が印加されることで、通常モードになり、例えば、監視回路２１を介して、操作パネル４の操作ボタン４Ａが押下されたか否かを監視し、その監視結果から、印刷指令を受けたと判断した場合に、印刷部１０に印刷動作を開始させる。
【００３８】
また印刷制御部１１は、通常モード時において、予め定められた移行条件を満たすかどうかを判断する移行判断処理を、定期的に繰り返し実行する。移行条件は、例えば、印刷指令など、操作パネル４でのユーザによる入力操作を受け付けない待機状態が基準時間継続したこと等が挙げられる。印刷制御部１１は、移行条件を満たしたと判断した場合、オフ指令情報をレジスタ２２に書き込む書き込み処理を実行する。
【００３９】
制御用ロジック回路２０Ａは、上記オンオフ監視処理により、レジスタ２２にオフ指令情報が書き込まれたことを確認すると、オンオフ確認処理を停止し、ＤＣ／ＤＣコンバータ２０に電圧変換動作を停止させる。これにより、印刷制御部１１は、オフモードに移行する。モータ制御回路２５も、内部電圧Ｖ３が印加されることで、駆動源の制御動作を実行可能となり、また、レジスタ２２にオフ指令情報およびオン指令信号のいずれが書き込まれているかを確認するオンオフ確認処理を、定期的に繰り返し実行する。
【００４０】
監視回路２１は、上記内部電圧Ｖ３が印加されることにより、印刷制御部１１が通常モードであるかオフモードであるかどうかにかかわらず、上記操作パネル４の操作ボタン４Ａが押下されたか否かを判断する操作監視処理を実行する。なお、監視回路２１は、オフモード時には、複数の操作ボタン４Ａのうち、ソフト電源スイッチとして機能する特定の操作ボタン４Ａのみを監視対象とする構成でもよい。具体的には、監視回路２１は、例えば分周回路２１Ａによる分周後のクロック周期で繰り返し操作信号ＳＧ１を読み込む。
【００４１】
ノイズキャンセル回路２１Ｂは、分周後のクロック周期ごとに、読み込んだ各操作信号ＳＧ１の信号レベルを操作判定用閾値（ノイズ判定用閾値の一例）と比較する。そして、ノイズキャンセル回路２１Ｂは、信号レベルが操作判定用閾値以上であることが、基準回数（例えば３回）以上連続した場合、操作ボタン４Ａが押下されたと判断し、信号レベルが操作判定用閾値以上であることが、基準回数未満である場合、ノイズ信号であるとして、操作ボタン４Ａが押下されていないと判断する。
【００４２】
通常モード時において、監視回路２１は、上記操作監視処理の監視結果を逐次、レジスタ２２に書き込み、印刷制御部１１は、レジスタ２２の書き込み内容を逐次、確認し、印刷部１０の制御に反映させる。一方、オフモード時において、監視回路２１は、操作監視処理により、操作ボタン４Ａが押下されたと判断した場合、制御用ロジック回路２０Ａに起動信号ＳＧ３を与えるとともに、オン指令情報をレジスタ２２に書き込む書き込み処理を実行する。
【００４３】
制御用ロジック回路２０Ａは、起動信号ＳＧ３を受けることにより、オンオフ監視処理を再開する。そして、制御用ロジック回路２０Ａは、レジスタ２２にオン指令情報が書き込まれたことを確認し、再び、ＤＣ／ＤＣコンバータ２０に電圧変換動作を実行させ、第２駆動電圧Ｖ２を印刷制御部１１に印加し始める。これにより、印刷制御部１１は、オフモードから通常モードに復帰する。
【００４４】
（本実施形態の効果）
本実施形態によれば、ＤＣ／ＤＣコンバータ２０および監視回路２１は、共通のレギュレータ２４により生成された内部電圧Ｖ３が印加されて動作可能になる。このため、ＤＣ／ＤＣコンバータ２０および監視回路２１それぞれにレギュレータ等の電圧生成部を備える構成に比べて、ＤＣ／ＤＣコンバータ２０および監視回路２１に制御用電圧を印加するための回路構成の規模を抑制することが可能になる。しかも、レジスタ２２，発振回路２３、および、モータ制御回路２５も、共通のレギュレータ２４により生成された内部電圧Ｖ３が印加されて動作可能になる。このため、電圧供給部１２全体の回路構成の規模を、更に抑制し、また、消費電力を低減することができる。
【００４５】
また、ＤＣ／ＤＣコンバータ２０、監視回路２１，レジスタ２２，および、モータ制御回路２５は、共通の発振回路２３からのクロック信号ＣＬを用いて各種の動作を実行する。このため、監視回路２１，レジスタ２２，および、モータ制御回路２５それぞれに専用の発振部を備える構成に比べて、クロック信号を出力するための回路構成の規模を抑制し、また、消費電力を低減することができる。
【００４６】
また、ノイズキャンセル回路２１Ｂは、分周回路２１Ａによる分周後のクロック周期で操作信号レベルを読み込んで、当該操作信号レベルと操作判定用閾値と比較してノイズを除去する。これにより、ＤＣ／ＤＣコンバータ２０とノイズキャンセル回路２１Ｂとで、共通の発振回路２３のクロック信号ＣＬを利用しつつ、互いに異なる周期でそれぞれの動作を行うことができる。
【００４７】
＜他の実施形態＞
本明細書で開示される技術は上記記述及び図面によって説明した実施形態に限定されるものではなく、例えば次のような種々の態様も含まれる。
【００４８】
「画像処理装置」は、印刷装置１以外の画像形成装置でもよい。例えば、画像形成装置には、ファクシミリ装置、コピー装置、印刷機能に加えて読取機能などの他の機能をも有する複合機、例えば図示しない表示画面等の表示媒体に画像を表示させる画像表示装置等も含まれる。更に、「画像処理装置」には、原稿シート上の画像を読み取る画像読取装置、画像データに対して変換や編集等の加工を施す画像データ処理装置でもよい。
【００４９】
「受付部」は、操作パネル４など、ユーザの入力操作による操作指令を受け付ける操作部に限らず、外部機器から遮断解除信号等の外部信号を、操作指令として受け付ける信号受信部などでもよい。また、操作ボタン４Ａは、押しボタンなどの機械式ボタ式でもよいし、タッチパネルなどのソフトボタン式なでもよい。
【００５０】
「画像処理部」は、印刷部１０に限らず、画像を表示媒体に表示させる表示部、画像読取部、画像データ変換部などでもよい。要するに、「画像処理部」は、画像に関する処理を実行する構成を有するものあればよい。
【００５１】
上記実施形態では、印刷制御部１１は、ＣＰＵ１１Ａおよび画処理部１１Ｃにより印刷部１０の動作を制御する構成であった。しかし、これに限らず、印刷制御部１１は、複数のＣＰＵにより印刷部１０の動作を制御する構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより印刷部１０の動作を制御する構成でもよい。
【００５２】
「記憶部」は、レジスタ２２などのロジック回路に限らず、ＲＡＭやフラッシュメモリ等でもよい。
【００５３】
「電圧生成部」は、レギュレータ２４に限らず、他の公知の定電圧回路でもよい。
【００５４】
「監視部」は、監視回路２１のようなハード回路に限らず、ＣＰＵおよびメモリを有し、このＣＰＵにより監視動作を制御する構成や、ＣＰＵおよびハード回路により監視動作を制御する構成でもよい。また、「監視部」は、ノイズキャンセル回路を有しない構成でもよい。
【００５５】
「駆動制御部」は、モータ制御回路２５に限られない。例えば印刷部１０が、感光体等に印刷用のバイアス電圧を印加する印加回路を備える構成であって、「駆動制御部」は、上記バイアス電圧の印加の有無等を制御する電圧制御回路などでもよい。
【００５６】
制御用ロジック回路２０Ａは、レジスタ２２にオフ指令情報が書き込まれたことを確認した場合、オンオフ確認処理を続行しつつ、ＤＣ／ＤＣコンバータ２０に電圧変換動作を停止させる構成でもよい。
【００５７】
電圧供給部１２は、レギュレータ２４とは別のレギュレータを有し、レジスタ２２，発振回路２３、および、モータ制御回路２５の少なくとも１つを、別のレギュレータにより生成された内部電圧で動作可能になる構成でもよい。
【００５８】
電圧供給部１２は、発振回路２３とは別の発振回路を有し、レジスタ２２，および、モータ制御回路の少なくとも１つを、別の発振回路からのクロック信号を用いて動作する構成でもよい。
【符号の説明】
【００５９】
１印刷装置：  ４：操作パネル  ６：低圧電源  １０：印刷部  １１：印刷制御部  １２：電力供給部  ２０：ＤＣ／ＤＣコンバータ  ２１：監視回路  ２３：発振回路  ２４：レギュレータ  Ｖ１：第１駆動電圧  Ｖ２：第２駆動電圧  Ｖ３：内部電圧
【図１】
2014144602.tif 000003
【図２】
2014144602.tif 000004
【図３】
2014144602.tif 000005